(57)【要約】【課題】珪藻土又は聚楽土等に代わる調湿、防露、吸煙性及び脱臭作用等を有する、カラダに優しい仕上げ材を提供する。【課題を解決するための手段】仕上げ材料の原料が、好適には松、檜、杉、栂又は檜葉等針葉樹の立ち枯れ樹木又は倒木の枯葉又は、無害性広葉樹の枯葉であつて、枯葉の採集工程１と、枯葉に付着した枯枝、紙、布地、樹脂製袋等の不純物の除去工程２と、不純物除去後の針葉樹枯葉を結束する工程３と、不純物除去後の広葉樹枯葉をホッパーへ投入する工程８と、針葉樹枯葉の下端部を、筒状容器Ｔの底部から、所定長さ分突出させる装填工程４と、筒状容器Ｔの底部から突出した針葉樹枯葉を、回転刃Ｃで所定の長さに切栽する工程５と、ホッパー内の広葉樹枯葉は、回転カッターＣ’により切栽する切栽工程９と、切栽された針葉樹枯葉及び広葉樹枯葉をそれぞれ、適量分袋詰めする工程６、１０と、とを含む。【選択図】  図１
2004324393.tif 000002
【特許請求の範囲】
【請求項１】
屋内の塗壁用仕上げ材料の製造方法であって、
塗壁用仕上げ材料の原料が、好適には松、檜、杉、栂又は檜葉等針葉樹の立ち枯れ樹木又は倒木の枯葉又は、無害性広葉樹の枯葉であつて、
前記針葉樹の枯葉又は、無害性広葉樹の枯葉を採集、拾集する、採集工程と、
採集、拾集した枯葉に付着した枯枝、紙、布地、樹脂製袋等の不純物を除去する、除去工程と、
不純物を除去した針葉樹の枯葉を収束して藁、輪ゴム等で結束する、結束工程と、不純物を除去した広葉樹の枯葉を、回転カッターを備えたホッパーに投入する、投入工程と、
結束した針葉樹枯葉の下端部を、筒状容器の底部に設けた装填口から、所定長さ分突出させる装填工程と、
筒状容器の底部から突出した針葉樹枯葉を、モータにより駆動する複数の回転刃で所定の長さに切栽する切栽工程と、
ホッパー内の広葉樹枯葉は、モータにより駆動する回転カッターにより切栽する切栽工程と、
切栽された針葉樹枯葉及び広葉樹枯葉をそれぞれ、適量分袋詰めする袋詰工程と、とを含む、塗壁用仕上げ材料の製造方法。
【請求項２】
前記筒状容器の底部から突出させる針葉樹枯葉の長さが、好適には約１ｃｍ〜の１．５ｃｍの長さであることを特徴とする、請求項１記載の塗壁用仕上げ材料の製造方法。
【発明の詳細な説明】
【０００１】
【発明の属する技術分野】本発明は、塗壁用仕上げ材料の製造方法に係り、特には、左官工事における屋内の仕上げ塗りに適する、塗壁用仕上げ材料の製造方法に関する。
【０００２】
【従来の技術】従来より、特に和風建築における屋内の仕上げ塗り材料（以下、仕上げ材という）としては、珪藻土又は聚楽土等が使用されている。珪藻土は、主に能登半島地域で生産される貴重な内壁仕上げ材であり、海、河川、湖沼等における珪藻の遺骸が水底に堆積したもので、外表面に無数の空隙があり、これを壁材として使用すれば、旧来の木造建築の壁に比較して優れた調湿機能等がある。また、聚楽土は、京都伏見近郊で産するもので、珪藻土と同じように、調湿機能があると共に若干の鉄分を含有しているために、仕上がり後に壁面に錆模様がでることにより、和風建築とりわけ、茶室の壁としては、最高の仕上げ材とされている。
【０００３】
しかしながら、上記の両仕上げ材は、非生産資源であるため、絶対的な供給量が少なく、年毎にその購入価格が高騰し、ひいては、住宅販売価格上昇の要因ともなり、その販売実績が伸び悩む結果となっている。そのために、多くの家屋やマンション等の内装壁や床等に石油系の素材が使用される結果、めまい、喘息、発熱、吐き気等種々の化学物質過敏症に見舞われ、アレルギー、アトピー性皮膚炎の悪化等の健康障害を引き起こす現象が増大し、社会問題ともなっている。
【０００４】
【発明が解決しようとする課題】そこで、石油系素材を使用しない、家屋やマンション等の内装壁に適合し、珪藻土又は聚楽土等に代わる調湿、防露、吸煙性及び脱臭作用等を有する、カラダに優しい仕上げ材が嘱望されていた。
【０００５】
【課題を解決するための手段】本発明者等は、上記の課題に鑑み、鋭意研究の結果、本来、焼却又は廃棄されている植物資源の有効利用、公園、遊園地及び街路等の美化、ホームレス者や不就労者への職域提供等を意図し、本発明を完成させたものである。
【０００６】
そのための本発明に係る、塗壁用仕上げ材料の製造方法の請求項１は、屋内の塗壁用仕上げ材料の製造方法であって、塗壁用仕上げ材料の原料が、好適には松、檜、杉、栂又は檜葉等針葉樹の立ち枯れ樹木又は倒木の枯葉又は、無害性広葉樹の枯葉であつて、前記針葉樹の枯葉又は、無害性広葉樹の枯葉を採集、拾集する、採集工程と、採集、拾集した枯葉に付着した枯枝、紙、布地、樹脂製袋等の不純物を除去する、除去工程と、不純物を除去した針葉樹の枯葉を収束して藁、輪ゴム等で結束する、結束工程と、不純物を除去した広葉樹の枯葉を、回転カッターを備えたホッパーに投入する、投入工程と、結束した針葉樹枯葉の下端部を、筒状容器の底部に設けた装填口から、所定長さ分突出させる装填工程と、筒状容器の底部から突出した針葉樹枯葉を、モータにより駆動する複数の回転刃で所定の長さに切栽する切栽工程と、ホッパー内の広葉樹枯葉は、モータにより駆動する回転カッターにより切栽する切栽工程と、切栽された針葉樹枯葉及び広葉樹枯葉をそれぞれ、適量分袋詰めする袋詰工程と、とを含むことを特徴とする。
【０００７】
請求項２は、請求項１に記載の塗壁用仕上げ材料の製造方法にあって、前記筒状容器の底部から突出させる針葉樹枯葉の長さが、好適には約１ｃｍ〜の１．５ｃｍの長さであることを特徴とする。
【０００８】
【発明の実施の形態】以下、本発明に係る、塗壁用仕上げ材料の製造方法の好適な実施形態について図面を参照しながら説明する。図１は、その作業工程図で、図２は、針葉樹枯葉を素材とする仕上げ材の製造装置を示す、一実施例の説明図、図３は、広葉樹枯葉を素材とする仕上げ材の製造装置を示す、一実施例の説明図である。
【０００９】
図１において、１は針葉樹又は、広葉樹枯葉の採集工程で、山野の立ち枯れ樹木、自然倒木又は台風等による倒木の針葉樹枯葉又は、有害の広葉樹例えば、櫨（はぜ）、漆等を除く無害の広葉樹枯葉を、好ましくはそれぞれを別々に拾集又は採集する工程であり、２は採集した枯葉に付着している枯枝、紙、布地、樹脂製袋等の不純物を除去する工程で、３は針葉樹枯葉を直径約５〜８ｃｍに収束し、その上端部を藁、輪ゴム等で結束する工程で、４は結束された針葉樹枯葉を、図２に示す筒状容器Ｔ内に装填する工程で、少なくとも針葉樹枯葉が装入可能な開口部Ｔ１と収容スペースＴ２がありかつ、底部には枯葉の下端が適宜長さ好適には、約１〜１．５ｃｍ順次突出するように設定された装填口Ｔ３が設けられている。５は切裁工程で、モータＭに装着された複数の回転刃Ｃで装填口Ｔ３から順次突出する枯葉を切裁する。６は袋詰工程で、切裁された枯葉は、装填口Ｔ３の下部に用意された紙又は布製の袋Ｆに約１ｋｇを袋詰して販売７される。
【００１０】
除去工程２で不純物を除去された広葉樹枯葉は、図３に示すホッパーＨの開口部Ｈ１から投入８され、その底部Ｈ２に設けられたモータＭ’で駆動する回転カッターＣ’で切裁９され、ホッパーＨの下部で用意された紙又は布製の袋に約１ｋｇを袋詰１０して販売７される。
【００１１】
仕上げ材としての使用に際しては、袋から枯葉を取り出し、ふ糊、海草糊等の結合材とその混合比を枯葉２：ふ糊等１程度とし、左官職人の意図と感覚でその他の材料を混練し、塗壁作業を行う。
【００１２】
なお、図２において、Ｐは筒状容器Ｔを支持する支柱で、Ｂは基台であり、図３において、Ｐ’はホッパーＨを支持する支柱で、Ｂ’は基台で、ＷはモータＭ’を固定する枠体である。
【発明の効果】
本発明に係る、塗壁用仕上げ材料の製造方法は、上記構成になるから以下の効果を奏する。即ち、▲１▼焼却又は廃棄処分されている植物資源の有効利用であり、塗壁用仕上げ材として極めてコストが安価である。▲２▼針葉樹枯葉及び広葉樹枯葉は、共に調湿、防露、吸煙性及び脱臭作用等を有し、カラダに優しい塗壁仕上げ材である。▲３▼塗壁に、針葉樹の枯葉模様又は広葉樹の枯葉模様が浮き出て風合いと風情を醸し出す。▲４▼枯葉の採集作業にホームレス者やリストラによる不就労者を雇用することができるので、雇用対策、社会政策として有意義な発明である。
【図面の簡単な説明】
【図１】本発明に係る、塗壁用仕上げ材料の製造方法の作業工程図である。
【図２】同、針葉樹枯葉を素材とする仕上げ材の製造装置を示す、一実施例の説明図である。
【図３】同、広葉樹枯葉を素材とする仕上げ材の製造装置を示す、一実施例の説明図である。
【符号の説明】
１                        採集工程
２                        除去工程
３                        結束工程
４                        装填工程
５、９                    切裁工程
６、１０                  袋詰工程
７                        販売工程
Ｔ                        筒状容器
Ｈ                        ホッパー
Ｍ、Ｍ’                  モータ
Ｃ                        回転刃
Ｃ’                      回転カッタ
【図１】
2004324393.tif 000003
【図２】
2004324393.tif 000004
【図３】
2004324393.tif 000005